(57)【要約】【課題】発電プラントに備えられる復水器において、既存の設備を利用して行われる死貝の排出方法であって、熱交換部を迂回して、取水路と、その下流の放水路とを連結するバイパス経路を有していない復水器においても、容易に行うことができる死貝の排出方法を提供すること。【解決手段】復水器１において、死貝を排出するために行われる死貝の排出方法であって、第一出口弁２２、及び第二出口弁２４を通過する海水の流量を第一の流量に設定し、第一入口弁２０、及び第二入口弁２１を通過する海水の流量を第一の流量よりも小さい第二の流量に設定し、第一連絡経路弁２６、及び第二連絡経路弁２８を通過する海水の流量を前記第一の流量より大きい第三の流量に設定し、第一循環ポンプ１８、及び第二循環ポンプ１９を駆動させることを特徴とする死貝の排出方法。【選択図】図１
2011017471.tif 000002
【特許請求の範囲】
【請求項１】
海水をくみ上げる第一循環ポンプと、
前記第一循環ポンプと接続し、前記第一循環ポンプによりくみ上げられた海水を流通させる第一取水路と、
前記第一取水路と接続し、前記第一取水路から流出する海水の流量を制御する第一入口弁と、
前記第一入口弁と接続し、前記第一入口弁を通過した海水を流通させる第一取水路−熱交換部連結管と、
前記第一取水路−熱交換部連結管と接続し、前記第一取水路−熱交換部連結管から流出した海水を取り込んで、火力発電設備、又は原子力発電設備に備えられる蒸気タービンから排出される蒸気と海水との間で熱交換を行う第一熱交換部と、
前記第一熱交換部と接続し、第一熱交換部から流出した海水を流通させる第一熱交換部−放水路連結管と、
前記第一熱交換部−放水路連結管と接続し、前記第一熱交換部−放水路連結管から流出する海水の流量を制御する第一出口弁と、
前記第一出口弁と接続し、前記第一出口弁を通過した海水を流通させる第一放水路と、
海水をくみ上げる第二循環ポンプと、
前記第二循環ポンプと接続し、前記第二循環ポンプによりくみ上げられた海水を流通させる第二取水路と、
前記第二取水路と接続し、前記第二取水路から流出する海水の流量を制御する第二入口弁と、
前記第二入口弁と接続し、前記第二入口弁を通過した海水を流通させる第二取水路−熱交換部連結管と、
前記第二取水路−熱交換部連結管と接続し、前記第二取水路−熱交換部連結管から流出した海水を取り込んで、火力発電設備、又は原子力発電設備に備えられる蒸気タービンから排出される蒸気と海水との間で熱交換を行う第二熱交換部と、
前記第二熱交換部と接続し、第二熱交換部から流出した海水を流通させる第二熱交換部−放水路連結管と、
前記第二熱交換部−放水路連結管と接続し、前記第二熱交換部−放水路連結管から流出する海水の流量を制御する第二出口弁と、
前記第二出口弁と接続し、前記第二出口弁を通過した海水を流通させる第二放水路と、
前記第一取水路−熱交換部連結管と前記第二熱交換部−放水路連結管とを連絡する、第一連絡経路と、
前記第一連絡経路上に備えられる第一連絡経路弁と、
前記第二取水路−熱交換部連結管と前記第一熱交換部−放水路連結管とを連絡する、第二連絡経路と、
前記第二連絡経路上に備えられる第二連絡経路弁と、を備え、前記蒸気タービンから排出される蒸気を海水で冷却して液化させる復水器において、前記火力発電設備、又は前記原子力発電設備の運転休止時に前記第一取水路、及び前記第二取水路に発生した死貝を排出するために行われる死貝の排出方法であって、
前記第一出口弁、及び前記第二出口弁を通過する海水の流量を第一の流量に設定し、
前記第一入口弁、及び前記第二入口弁を通過する海水の流量を、前記第一の流量よりも小さな第二の流量に設定し、
前記第一連絡経路弁、及び前記第二連絡経路弁を通過する海水の流量を、前記第一の流量よりも大きな第三の流量に設定し、
前記第一循環ポンプ、及び前記第二循環ポンプを駆動させることを特徴とする死貝の排出方法。
【請求項２】
前記第一入口弁、前記第二入口弁、前記第一出口弁、前記第二出口弁、前記第一連絡経路弁、及び前記第二連絡経路弁において、弁の開度を調整することにより、弁を通過する海水の流量を調整する請求項１に記載の死貝の排出方法。
【発明の詳細な説明】
【技術分野】
【０００１】
本発明は、火力発電設備、又は原子力発電設備に備えられる復水器において、海水を流入させる取水路で発生する死貝を排出・除去するための死貝の排出方法に関する。
【背景技術】
【０００２】
一般に、火力発電設備、及び原子力発電設備（以下、発電プラントと呼ぶ）においては、ボイラ、及び原子炉でボイラ水、及び冷却材を加熱して蒸気を発生させ、発生した蒸気によって蒸気タービンを駆動しており、蒸気タービンを通過した蒸気は復水器によって冷却・液化される。復水器においては、多量の海水が冷却水として取水路を通って循環ポンプによって熱交換部に送られ、蒸気と熱交換した後、放水路を通って海に放出される。
【０００３】
ところで、発電プラントは定期点検等によって長期間休止することがあり、この際には、海水の取水も停止されるため、取水路に長期間海水が滞留することになる。このような場合、取水路に貝等の海洋生物が発生する場合があった。
【０００４】
このように大量の貝が発生すると、海水の滞留による酸欠に伴い、死貝が大量に発生して海水を汚濁し、復水器を腐食させることがあった。また、発電プラントの運転を再開した際、死貝が復水器に流れ込み、復水器に死貝が詰まって、復水器に設けられる配管の閉塞や破損を生じることがあった。このため、発電所を停止した際には、定期的に取水路に滞留する海水を入れ替えて、死貝を排出し、更には死貝等の発生を抑制する必要があった。
【０００５】
このような問題を解決するため、特許文献１には、海水を冷却水として使用する復水器及び復水冷却器等を備えた復水器の循環水系統において、前記復水器及び前記海水冷却器のそれぞれと前記循環水系統との間にドレン注入ポンプを設けたドレン注入管を接続し、前記復水器及び前記海水冷却器内で蒸気が凝縮したドレンを前記ポンプにて昇圧して前記循環水系統内に注入し、前記循環水系統の海水温度を上昇させて当該循環水系統の海洋生物を除去することを特徴とする復水器の循環水系統が開示されている。
【０００６】
この循環水系統によれば、復水器及び海水冷却器に注入した蒸気が伝熱管内の海水を加熱、凝縮した後に、そのドレンをポンプにて昇圧し循環水系統に注入するので、加熱用の蒸気を有効利用しながら循環水系統の海水温度を上げることができるとされる。これにより循環水管内の海洋生物を死滅させて循環水、復水器、海水冷却器等を清浄に保つことができるとされる。
【先行技術文献】
【特許文献】
【０００７】
【特許文献１】特開平７−１８０９９１号公報
【発明の概要】
【発明が解決しようとする課題】
【０００８】
しかしながら、特許文献１に記載の復水器の循環水系統においては、海洋生物を除去するため、新たな設備投資が必要であり、既存の設備をそのまま利用して海洋生物の除去を実施できるものではない。
【０００９】
また、海水温度を上昇させて循環水系統の海洋生物を除去することができたとしても、これらの海洋生物の死骸を排出することが必要であり、特に、熱交換部を迂回して取水路と、その下流の放水路とを連結するバイパス経路を有していない復水器においては、熱交換部に死貝を詰まらせることなく排出する必要があった。
【００１０】
本発明は以上のような課題に鑑みてなされたものであり、発電プラントに備えられる復水器において、既存の設備を利用して行われる死貝の排出方法であって、熱交換部を迂回して、取水路と、その下流の放水路とを連結するバイパス経路を有していない復水器においても、容易に行うことができる死貝の排出方法を提供することを目的とする。
【課題を解決するための手段】
【００１１】
本発明の発明者らは、上記課題を解決するために鋭意研究を行ったところ、分離した二つの熱交換部を備える復水器において、第一取水路から第二放水路へ、第二取水路から第一放水路へと、海水を流通させることにより、第一取水路及び第二取水路に発生した死貝を排出することができることを見出し、本発明を完成するに至った。
【００１２】
具体的には、本発明は以下のものを提供する。
【００１３】
（１）  海水をくみ上げる第一循環ポンプと、前記第一循環ポンプと接続し、前記第一循環ポンプによりくみ上げられた海水を流通させる第一取水路と、前記第一取水路と接続し、前記第一取水路から流出する海水の流量を制御する第一入口弁と、前記第一入口弁と接続し、前記第一入口弁を通過した海水を流通させる第一取水路−熱交換部連結管と、前記第一取水路−熱交換部連結管と接続し、前記第一取水路−熱交換部連結管から流出した海水を取り込んで、火力発電設備、又は原子力発電設備に備えられる蒸気タービンから排出される蒸気と海水との間で熱交換を行う第一熱交換部と、前記第一熱交換部と接続し、第一熱交換部から流出した海水を流通させる第一熱交換部−放水路連結管と、前記第一熱交換部−放水路連結管と接続し、前記第一熱交換部−放水路連結管から流出する海水の流量を制御する第一出口弁と、前記第一出口弁と接続し、前記第一出口弁を通過した海水を流通させる第一放水路と、海水をくみ上げる第二循環ポンプと、前記第二循環ポンプと接続し、前記第二循環ポンプによりくみ上げられた海水を流通させる第二取水路と、前記第二取水路と接続し、前記第二取水路から流出する海水の流量を制御する第二入口弁と、前記第二入口弁と接続し、前記第二入口弁を通過した海水を流通させる第二取水路−熱交換部連結管と、前記第二取水路−熱交換部連結管と接続し、前記第二取水路−熱交換部連結管から流出した海水を取り込んで、火力発電設備、又は原子力発電設備に備えられる蒸気タービンから排出される蒸気と海水との間で熱交換を行う第二熱交換部と、前記第二熱交換部と接続し、第二熱交換部から流出した海水を流通させる第二熱交換部−放水路連結管と、前記第二熱交換部−放水路連結管と接続し、前記第二熱交換部−放水路連結管から流出する海水の流量を制御する第二出口弁と、前記第二出口弁と接続し、前記第二出口弁を通過した海水を流通させる第二放水路と、前記第一取水路−熱交換部連結管と前記第二熱交換部−放水路連結管とを連絡する、第一連絡経路と、前記第一連絡経路上に備えられる第一連絡経路弁と、前記第二取水路−熱交換部連結管と前記第一熱交換部−放水路連結管とを連絡する、第二連絡経路と、前記第二連絡経路上に備えられる第二連絡経路弁と、を備え、前記蒸気タービンから排出される蒸気を海水で冷却して液化させる復水器において、前記火力発電設備、又は前記原子力発電設備の運転休止時に前記第一取水路、及び前記第二取水路に発生した死貝を排出するために行われる死貝の排出方法であって、前記第一出口弁、及び前記第二出口弁を通過する海水の流量を第一の流量に設定し、前記第一入口弁、及び前記第二入口弁を通過する海水の流量を、前記第一の流量よりも小さな第二の流量に設定し、前記第一連絡経路弁、及び前記第二連絡経路弁を通過する海水の流量を、前記第一の流量よりも大きな第三の流量に設定し、前記第一循環ポンプ、及び前記第二循環ポンプを駆動させることを特徴とする死貝の排出方法。
【００１４】
一般に分離した二つの熱交換部を備える復水器においては、第一取水路−熱交換部連結管と第二熱交換部−放水路連結管とを連絡する、第一連絡経路、及び第二取水路−熱交換部連結管と第一熱交換部−放水路連結管とを連絡する、第二連絡経路が設けられている。（１）に記載の発明によれば、第一入口弁、及び第二入口弁を通過する海水の流量がもっとも小さい第二の流量に設定されているため、多量の海水が流入することがない。更に、第一連絡経路弁を通過する海水の流量が第一の流量よりも大きく設定されているため、第一入口弁を通過して、第一取水路−熱交換部連結管に流入した海水が、主に第一連絡経路に流れることになる。ここで、第一熱交換部は、熱交換用の細管からなるため、流入抵抗が高く、第一入口弁を通過した海水は、第一熱交換部にはほとんど流入しない。このため、第一取水路−熱交換部連結管に流入した海水は、第一連絡経路を介して、第二熱交換部−放水路連結管へと排出されることになる。このため、（１）に記載の死貝の排出方法を実施している際、海水が第一熱交換部に流入せず、死貝が第一熱交換部に詰まることもない。第二取水路から第二取水路−熱交換部連結経路に流入した海水も、第二連絡経路を介して第一熱交換部−放水路連結管に、更に第一放水路に流通するため、死貝が第二熱交換部に詰まることもない。このため、（１）に記載の死貝の排出方法によれば、熱交換部に死貝を詰まらせることなく、死貝を排出することができる。
【００１５】
（２）  前記第一入口弁、前記第二入口弁、前記第一出口弁、前記第二出口弁、前記第一連絡経路弁、及び前記第二連絡経路弁において、弁の開度を調整することにより、弁を通過する海水の流量を調整する（１）に記載の死貝の排出方法。
【００１６】
（１）に記載の死貝の排出方法を実施するにあたっては、第一入口弁、第二入口弁、第一出口弁、第二出口弁、第一連絡経路弁、及び第二連絡経路弁の開度を調整することにより、弁を通過する海水の流量を調整することができる。（２）に記載の死貝の排出方法において用いることのできる弁の種類としては、特に限定されないが、弁の開度の調整は、これら弁の種類に応じて、適宜設定することができる。
【発明の効果】
【００１７】
本発明によれば、発電プラントに備えられる復水器において、既存の設備を利用して死貝の排出を行うことができる。更に、本発明によれば、熱交換部を迂回して、取水路と、その下流の放水路とを連結するバイパス経路を有していない復水器においても、死貝の排出を容易に行うことができる。
【図面の簡単な説明】
【００１８】
【図１】本発明の実施の形態による復水器の一例を示す図である。
【発明を実施するための形態】
【００１９】
以下、本発明の実施形態について、図面を参考にしながら詳細に説明する。
【００２０】
＜復水器＞
図１は、本発明の復水器１の概略を示した図面である。本発明の復水器１は、海水を循環させて蒸気タービンからの蒸気との間で熱交換を行う第一の海水循環系統と、海水を循環させて蒸気タービンからの蒸気と熱交換を行い、第一の海水循環系等と対向する第二の海水循環系統と、第一の海水循環系統と第二の海水循環系統とを連絡する連絡系統と、を備えるものである。
【００２１】
［第一の循環系統］
第一の循環系統は、海水をくみ上げる第一循環ポンプ１８と、第一循環ポンプ１８と接続し、第一循環ポンプ１８によりくみ上げられた海水を流通させる第一取水路１５と、第一取水路１５と接続し、第一取水路１５から流出する海水の流量を制御する第一入口弁２０と、第一入口弁２０と接続し、第一入口弁２０を通過した海水を流通させる第一取水路−熱交換部連結管３０と、第一取水路−熱交換部連結管３０と接続し、第一取水路−熱交換部連結管３０から流出した海水を取り込んで、発電プラントに備えられる蒸気タービンから排出される蒸気と海水との間で熱交換を行う第一熱交換部１１と、第一熱交換部１１と接続し、熱交換部から流出した海水を流通させる第一熱交換部−放水路連結管３２と、第一熱交換部−放水路連結管３２と接続し、第一熱交換部−放水路連結管３２から流出する海水の流量を制御する第一出口弁２２と、第一出口弁２２と接続し、第一出口弁２２を通過した海水を流通させる第一放水路２３と、からなる。
【００２２】
ここで、以下、第一取水路１５と第一取水路−熱交換部連結管３０とを総称して、「第一取水系統」と、第一放水路２３と第一熱交換部−放水路連結管３２を総称して「第一放水系統」と呼ぶことがある。
【００２３】
［第二の循環系等］
第二の循環系等は、海水をくみ上げる第二循環ポンプ１９と、第二循環ポンプ１９と接続し、第二循環ポンプ１９によりくみ上げられた海水を流通させる第二取水路１６と、第二取水路１６と接続し、第二取水路１６から流出する海水の流量を制御する第二入口弁２１と、第二入口弁２１と接続し、第二入口弁２１を通過した海水を流通させる第二取水路−熱交換部連結管３１と、第二取水路−熱交換部連結管３１と接続し、第二取水路−熱交換部連結管３１から流出した海水を取り込んで、火力発電設備、又は原子力発電設備に備えられる蒸気タービンから排出される蒸気と海水との間で熱交換を行う第二熱交換部１２と、第二熱交換部１２と接続し、第二熱交換部１２から流出した海水を流通させる第二熱交換部−放水路連結管３３と、第二熱交換部−放水路連結管３３と接続し、第二熱交換部−放水路連結管３３から流出する海水の流量を制御する第二出口弁２４と、第二出口弁２４と接続し、第二出口弁２４を通過した海水を流通させる第二放水路２５と、からなる。
【００２４】
ここで、以下、第二取水路１６と第二取水路−熱交換部連結管３１とを総称して、「第二取水系統」と、第二放水路２５と第二熱交換部−放水路連結管３３を総称して「第二放水系統」と呼ぶことがある。
【００２５】
［連絡経路］
連絡系統は、第一取水路−熱交換部連結管３０と第二熱交換部−放水路連結管３３とを連絡する、第一連絡経路２７と、第一連絡経路２７上に備えられる第一連絡経路弁２６と、第二取水路−熱交換部連結管３１と第一熱交換部−放水路連結管３２とを連絡する、第二連絡経路２９と、第二連絡経路２９上に備えられる第二連絡経路弁２８と、からなる。
【００２６】
［弁］
上述したように、本発明の復水器１には、第一入口弁２０、第二入口弁２１、第一出口弁２２、第二出口弁２４、第一連絡経路弁２６、及び第二連絡経路弁２８が備えられている。
【００２７】
上記、第一入口弁２０、第二入口弁２１、第一出口弁２２、第二出口弁２４、第一連絡経路弁２６、及び第二連絡経路弁２８に用いられる弁の種類としては、特に限定されず、従来用いられる公知の弁を利用することができる。
【００２８】
＜復水器の動作＞
本発明の復水器１は、発電プラントで用いられ、ボイラ、又は原子炉で、ボイラ水、又は冷却材を加熱して発生した蒸気を、蒸気タービンに供給して仕事をさせた後、この蒸気を海水で冷却・液化する際に用いられる。図１に示した復水器１においては、第一熱交換部１１、及び第二熱交換部１２、並びに蒸気が流入する冷却室３４を有しており、冷却室３４に流入した蒸気は、それぞれの熱交換部において冷却・液化される。
【００２９】
第一取水路１５、及び第二取水路１６にはそれぞれ第一循環ポンプ１８、及び第二循環ポンプ１９が接続され、第一循環ポンプ１８、及び第二循環ポンプ１９が駆動することにより、第一取水路１５、及び第二取水路１６に海水が供給される。
【００３０】
第一取水路１５、及び第二取水路１６に供給された海水は、第一入口弁２０、及び第一取水路−熱交換部連結管３０、並びに第二入口弁２１、及び第二取水路−熱交換部連結管３１を通過して、それぞれ、第一熱交換部１１、及び第二熱交換部１２に供給される。
【００３１】
第一熱交換部１１、及び第二熱交換部１２に達した海水は、復水器１の冷却室３４に供給された蒸気と熱交換を行い、蒸気を冷却・液化する。熱交換を終えた海水は、第一熱交換部１１、及び第二熱交換部１２から、第一熱交換部−放水路連結管３２、及び第一出口弁２２、並びに第二熱交換部−放水路連結管３３、及び第二出口弁２４を通過して、それぞれ、第一放水路２３、及び第二放水路２５に排出され、第一放水路２３、及び第二放水路２５から、海へと放水される。この際、第一出口弁２２、及び第二出口弁２４の開度は、全開に設定されている。
【００３２】
上述したような通常運転の際においては、第一連絡経路２７、及び第二連絡経路２９に備えられる第一連絡経路弁２６、第二連絡経路弁２８は、全閉に設定されている。これにより、第一取水系統に供給された海水が、第二放水系統に流出すること、又は第二取水系統に供給された海水が、第一放水系統に流出することを防止している。
【００３３】
＜死貝の排出方法＞
発電所を長期間に亘って休止する際には、定期的に取水路に残留する海水の入れ替えが行われる。この際、海水と共に、死貝等が排出される。以下、死貝の排出方法について、説明する。
【００３４】
死貝の排出方法においては、まず、第一入口弁２０、第二入口弁２１、第一出口弁２２、第二出口弁２４、第一連絡経路弁２６、及び第二連絡経路弁２８を通過する海水の流量が所定の流量になるように設定し、次いで、第一循環ポンプ１８、及び第二循環ポンプ１９を起動する。
【００３５】
［弁を通過する海水の流量の設定］
各弁を通過する海水の流量の設定にあたっては、第一出口弁２２、及び第二出口弁２４を通過する海水の流量を第一の流量に設定し、第一入口弁２０、及び第二入口弁２１を通過する海水の流量を第一の流量よりも小さい第二の流量に設定し、第一連絡経路弁２６、及び第二連絡経路弁２８を通過する海水の流量を第一の流量より大きい第三の流量に設定する。
【００３６】
第一入口弁２０、及び第二入口弁２１を通過する海水の流量がもっとも小さく設定されているため、多量の海水が流入することがない。更に、第一連絡経路弁２６を通過する海水の流量が第一出口弁２２を通過する海水の流量よりも大きく設定されているため、第一入口弁２０を通過した海水が、主に第一連絡経路２７に流れることになる。ここで、第一熱交換部１１は、熱交換用の細管からなるため、流入抵抗が高く、第一入口弁２０を通過した海水は、第一熱交換部１１には、ほとんど流入しない。このため、第一取水路１５からの海水は、第一連絡経路２７を介して、第二放水路２５へと排出されることになる。本発明の死貝の排出方法を実施している際、海水が第一熱交換部１１に流入せず、死貝が第一熱交換部１１に詰まることもない。第二取水路１６からの海水も、第二連絡経路２９を介して第一放水路２３に流通するため、死貝が第二熱交換部１２に詰まることもない。
【００３７】
各弁を通過する海水の流量を、上記の各範囲に設定するためには、弁の開度を調整することが好ましい。好ましい弁の開度は、弁の種類によって、適宜定められるものであり、一律に定めることはできないものであるが、各弁を流通する海水の流量が、上述した条件を充足する範囲で、適宜設定することができる。
【００３８】
［海水の入れ替え、及び死貝の排出］
上記のように、各弁を通過する海水の流量を設定し、第一循環ポンプ１８及び第二循環ポンプ１９を起動することにより、第一取水路１５、及び第二取水路１６から取り込まれた海水は、第一入口弁２０、及び第二入口弁２１に達し、ここを通過する。ここで、第一入口弁２０を通過した海水を例に説明すると、第一出口弁２２を通過する海水の流量は、第一連絡経路弁２６を通過する海水の流量よりも小さく設定されており、更に、第一熱交換部１１は、通常の配管と比較して流入抵抗が高いため、第一入口弁２０を通過した海水は、第一熱交換部１１には到達せず、第一連絡経路２７に流入することになる。そして、第一連絡経路２７に流入した海水は、第二出口弁２４を通過して、第二放水路２５を通って、海へと放水される。
【００３９】
このように、本発明の死貝の排出方法においては、海水が第一熱交換部１１、及び第二熱交換部１２に流入することがほとんどないから、あたかも、第一取水路１５、及び第二取水路１６から、それぞれ第一放水路２３、及び第二放水路２５へとバイパスしたのと実質的に同様の結果が得られ、滞留する海水の入れ替えを行った際に、死貝が第一熱交換部１１、及び第二熱交換部１２に入り込むことがなく、死貝詰まることによって、第一熱交換部１１、及び第二熱交換部１２内の細管の閉塞や損傷が生じることを防止することができる。
【００４０】
＜復旧作業＞
本発明の死貝の排出方法を実施した後は、適宜、復旧作業等を行うことが好ましい。具体的には、第一連絡経路弁２６、及び第二連絡経路弁２８を全閉とし、第一入口弁２０、第二入口弁２１、第一出口弁２２、及び第二出口弁２４は、通常運転時や発電プラントの運転休止時に定められる、所定の開度に設定すればよい。
【符号の説明】
【００４１】
１      復水器
１１    第一熱交換部
１２    第二熱交換部
１５    第一取水路
１６    第二取水路
１８    第一循環ポンプ
１９    第二循環ポンプ
２０    第一入口弁
２１    第二入口弁
２２    第一出口弁
２３    第一放水路
２４    第二出口弁
２５    第二放水路
２６    第一連絡経路弁
２７    第一連絡経路
２８    第二連絡経路弁
２９    第二連絡経路
３０    第一取水路−熱交換部連結管
３１    第二取水路−熱交換部連結管
３２    第一熱交換部−放水路連結管
３３    第二熱交換部−放水路連結管
３４    冷却室
【図１】
2011017471.tif 000003